(57)【特許請求の範囲】
【請求項１】
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御する制御手段と、
を備えたことを特徴とする画像形成装置。
【請求項２】
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置。
【請求項３】
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段の前記反転機構に保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置。
【請求項４】
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
前記第２用紙保持手段に用紙が保持されていることを検知する用紙検知手段と、
画像パターンが形成されていない用紙を保持する第３用紙保持手段と、
原稿を保持する原稿保持手段と、この原稿保持手段に保持されている原稿を原稿テーブルの所定位置に向けて送出する送出手段と、前記原稿保持手段に原稿が保持されていることを検知する原稿検知手段と、を備えた原稿送出手段と、
非画像形成状態で用紙を搬送可能に形成され、また、所定の電位が与えられた状態で原稿画像に対応した画像信号が供給されることにより、用紙に画像を形成する画像形成手段と、
前記第１用紙保持手段の前記反転機構に保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御し、且つ前記用紙検知手段により前記第２用紙保持手段に第２の記録済み用紙が保持されていることを検知した場合には、前記像担持体により非画像形成状態で前記第２用紙保持手段から前記第２の記録済み用紙を搬送し、また、前記原稿検知手段により前記原稿保持手段に原稿が保持されていることを検知した場合には、前記送出手段により原稿を原稿テーブルの所定位置に配置させ、前記画像形成手段により原稿の画像に対応した画像を前記第３用紙保持手段から給紙された前記用紙に記録した後に搬送するように制御する制御手段と、
を備えたことを特徴とする画像形成装置。
【請求項５】
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
前記第１用紙保持手段に保持されている第１の記録済み用紙の積み重ね順序を反転させて用紙を保持する反転手段と、
非画像形成状態で用紙を搬送可能に形成され、所定の電位が与えられた状態で画像信号が供給されることで像が形成される像担持体と、
前記反転手段により保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御する制御手段と、
を備えたことを特徴とする画像形成装置。
【請求項６】
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御する制御手段と、
を備えたことを特徴とする画像形成装置。
【請求項７】
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置。
【請求項８】
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段の前記反転機構に保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置。
【請求項９】
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
前記第２用紙保持手段に用紙が保持されていることを検知する用紙検知手段と、
画像パターンが形成されていない用紙を保持する第３用紙保持手段と、
原稿を保持する原稿保持手段と、この原稿保持手段に保持されている原稿を原稿テーブルの所定位置に向けて送出する送出手段と、前記原稿保持手段に原稿が保持されていることを検知する原稿検知手段と、を備えた原稿送出手段と、
非画像形成状態で用紙を搬送可能に形成され、また、所定の電位が与えられた状態で原稿画像に対応した画像信号が供給されることにより、用紙に画像を形成する画像形成手段と、
前記第１用紙保持手段の前記反転機構に保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御し、且つ前記用紙検知手段により前記第２用紙保持手段に第２の記録済み用紙が保持されていることを検知した場合には、前記像担持体により非画像形成状態で前記第２用紙保持手段から前記第２の記録済み用紙を搬送し、また、前記原稿検知手段により前記原稿保持手段に原稿が保持されていることを検知した場合には、前記送出手段により原稿を原稿テーブルの所定位置に配置させ、前記画像形成手段により原稿の画像に対応した画像を前記第３用紙保持手段から給紙された前記用紙に記録した後に搬送するように制御する制御手段と、
を備えたことを特徴とする画像形成装置。
【請求項１０】
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
前記第１用紙保持手段に保持されている第１の記録済み用紙の積み重ね順序を反転させて用紙を保持する反転手段と、
非画像形成状態で用紙を搬送可能に形成され、所定の電位が与えられた状態で画像信号が供給されることで像が形成される像担持体と、
前記反転手段により保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御する制御手段と、
を備えたことを特徴とする画像形成装置。
【発明の詳細な説明】
【０００１】
【発明の属する技術分野】
この発明は、静電写真プロセスにより感光体に画像を形成する画像形成装置にかかり、特に、複数枚の複写済み用紙の所定のページ間に他の複写済み用紙を追加する追加モード、或は所定のページを他のコピー済み用紙に差替える差替えモードを有する画像形成装置に関する。
【０００２】
【従来の技術】
静電複写プロセスが利用されている画像形成装置、たとえば、静電式複写装置は、複写対象物の画像を読取る画像読取部、及び、読取部を介して読取られた画像に基づいて複製像を形成して被転写材上に出力する画像形成部を含んでいる。
【０００３】
画像読取部は、複写対象物たとえばシート状の原稿が載置される載置台、この載置台に載置された原稿の画像情報を光の明暗パターンに変換する走査ユニット、および載置台に向かって複数の原稿を１枚ずつ給送するとともに画像形成が終了した原稿を排出して積層する自動原稿送り装置などを有している。
【０００４】
画像形成部は、画像読取部により読み取られた (光の明暗パターンに変換された) 画像情報に応じて静電潜像が形成される感光体、この感光体に形成された潜像にトナーを供給することで現像する現像装置、この現像装置により現像された現像剤像すなわち複製像 (トナー像) を保持する被転写材 (記録用紙) を収容する用紙収容部、及び収容されている記録用紙を１枚ずつ感光体側に搬送する用紙搬送機構などにより構成される。
【０００５】
上述した複写装置により原稿の画像を複写する場合には、自動原稿送り装置の所定の位置に複写すべき原稿をセットしたのちプリント開始を指示することにより自動原稿送り装置が動作されて、１枚の原稿が載置台の所定の位置に案内される。
【０００６】
続いて、画像読取り部の走査ユニットが動作されて、原稿の画像情報が光学的に読み取られ、感光体に案内される。
これにより、原稿の画像情報に対応した潜像が、感光体に形成される。
【０００７】
こののち、感光体の回転にともなって搬送された潜像に、現像装置からトナーが供給される。従って、原稿の画像情報は、トナー像に変換される。
一方、記録用紙は、用紙収容部から１枚ずつ取り出され、用紙搬送機構により搬送される。
【０００８】
トナー像は、感光体の回転にともなって、記録用紙との接点すなわち転写位置まで搬送され、記録用紙に転写される。
この現像動作および転写動作と平行して、画像情報が、現在、光の明暗パターンに変換されている原稿が自動原稿送り装置を介して自動原稿送り装置の所定の位置 (排出原稿受け) に排出される。このとき、自動原稿送り装置は、セットされている次の原稿を載置台に搬送する。
【０００９】
これにより、自動原稿送り装置にセットされた原稿が順に載置台に送られるとともに、載置台に案内された原稿の画像が、順に、記録用紙に複製 (複写) される。なお、トナー像が転写された複写済みの記録用紙は、複写装置の一端に配置された排出部に積み重ねられて排出される。
【００１０】
【発明が解決しようとする課題】
ところで、従来、所定の順序、例えば一連のページ番号順に積み重ねられて排出された所定部数の複写済みの記録用紙の一部のページ番号に対応する記録用紙を他の複写済みの記録用紙に差し替えたり、一連の順序に積み重ねられた複写済み記録用紙の所望する用紙間に、他の複写済み記録用紙を追加する場合、これらの作業は、オペレータの手作業により実行されている。このため、作業を必要とする複写済み記録用紙の部数が多い場合や、差し替える記録用紙、または追加する記録用紙が多い場合には、多くの作業時間を必要とするとともに、オペレータの負担が大きくなる問題が生じる。また、手作業により記録用紙を差替えたり、追加するため、所望する用紙が差し替えられなかったり、用紙間に他の記録済み記録用紙が追加できないような誤りが生じやすい。
【００１１】
この発明の目的は、上述したような事情に鑑み成されたものであって、一連の順序で積み重ねられた複写済み記録用紙の所定の用紙間に他の複写済み記録用紙を追加する、または複写済み記録用紙の一部を他の複写済み記録用紙を差し替えることができる画像形成装置を提供することにある。
【００１２】
【課題を解決するための手段】
この発明は、上記問題点に基づきなされたもので、
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御する制御手段と、
を備えたことを特徴とする画像形成装置を提供するものである。
【００１３】
また、この発明によれば、
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置が提供される。
【００１４】
さらに、この発明によれば
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段の前記反転機構に保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置が提供される。
【００１５】
またさらに、この発明によれば、
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
前記第２用紙保持手段に用紙が保持されていることを検知する用紙検知手段と、
画像パターンが形成されていない用紙を保持する第３用紙保持手段と、
原稿を保持する原稿保持手段と、この原稿保持手段に保持されている原稿を原稿テーブルの所定位置に向けて送出する送出手段と、前記原稿保持手段に原稿が保持されていることを検知する原稿検知手段と、を備えた原稿送出手段と、
非画像形成状態で用紙を搬送可能に形成され、また、所定の電位が与えられた状態で原稿画像に対応した画像信号が供給されることにより、用紙に画像を形成する画像形成手段と、
前記第１用紙保持手段の前記反転機構に保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御し、且つ前記用紙検知手段により前記第２用紙保持手段に第２の記録済み用紙が保持されていることを検知した場合には、前記像担持体により非画像形成状態で前記第２用紙保持手段から前記第２の記録済み用紙を搬送し、また、前記原稿検知手段により前記原稿保持手段に原稿が保持されていることを検知した場合には、前記送出手段により原稿を原稿テーブルの所定位置に配置させ、前記画像形成手段により原稿の画像に対応した画像を前記第３用紙保持手段から給紙された前記用紙に記録した後に搬送するように制御する制御手段と、
を備えたことを特徴とする画像形成装置が提供される。
【００１６】
さらにまた、この発明によれば、
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
前記第１用紙保持手段に保持されている第１の記録済み用紙の積み重ね順序を反転させて用紙を保持する反転手段と、
非画像形成状態で用紙を搬送可能に形成され、所定の電位が与えられた状態で画像信号が供給されることで像が形成される像担持体と、
前記反転手段により保持されている第１の記録済み用紙を所定枚数搬送し、予め規定された枚数に達した時点で、前記第２用紙保持手段により保持されている第２の記録済み用紙及び前記第３用紙保持手段により保持されている用紙のいずれか一方の用紙を搬送するように制御する制御手段と、
を備えたことを特徴とする画像形成装置が提供される。
【００１７】
またさらに、この発明によれば、
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御する制御手段と、
を備えたことを特徴とする画像形成装置が提供される。
【００１８】
さらにまた、この発明によれば、
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段により保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置が提供される。
【００１９】
またさらに、この発明によれば、
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
非画像形成状態で用紙を搬送可能に形成され、所定の電位が与えられた状態で画像信号が供給されることで像が形成される像担持体と、
前記第１用紙保持手段の前記反転機構に保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御し、且つ前記第２の記録済み用紙を搬送する場合には、前記像担持体により非画像形成状態で搬送し、また、前記用紙を搬送する場合には、前記像担持体に画像を形成し、この画像を前記用紙に記録した後に搬送するように制御する制御手段と、
を備えたことを特徴とする画像形成装置が提供される。
【００２０】
さらにまた、この発明によれば、
所定の順序にしたがって積み重ねられ、所定の画像パターンが記録された第１の記録済み用紙の積み重ね順序を反転させる反転機構を備え、第１の記録済み用紙を保持する第１用紙保持手段と、
前記第１の記録済み用紙とは異なる画像パターンが記録された第２の記録済み用紙を保持する第２用紙保持手段と、
前記第２用紙保持手段に用紙が保持されていることを検知する用紙検知手段と、
画像パターンが形成されていない用紙を保持する第３用紙保持手段と、
原稿を保持する原稿保持手段と、この原稿保持手段に保持されている原稿を原稿テーブルの所定位置に向けて送出する送出手段と、前記原稿保持手段に原稿が保持されていることを検知する原稿検知手段と、を備えた原稿送出手段と、
非画像形成状態で用紙を搬送可能に形成され、また、所定の電位が与えられた状態で原稿画像に対応した画像信号が供給されることにより、用紙に画像を形成する画像形成手段と、
前記第１用紙保持手段の前記反転機構に保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御し、且つ前記用紙検知手段により前記第２用紙保持手段に第２の記録済み用紙が保持されていることを検知した場合には、前記像担持体により非画像形成状態で前記第２用紙保持手段から前記第２の記録済み用紙を搬送し、また、前記原稿検知手段により前記原稿保持手段に原稿が保持されていることを検知した場合には、前記送出手段により原稿を原稿テーブルの所定位置に配置させ、前記画像形成手段により原稿の画像に対応した画像を前記第３用紙保持手段から給紙された前記用紙に記録した後に搬送するように制御する制御手段と、
を備えたことを特徴とする画像形成装置が提供される。
【００２１】
またさらに、この発明によれば、
所定の順序にしたがって積み重ねられ、所定の画像パターンが記録された第１の記録済み用紙を保持する第１用紙保持手段と、
前記第１の記録済み用紙とは異なる画像パターンが記録された第２の記録済み用紙を保持する第２用紙保持手段と、
画像パターンが形成されていない用紙を保持する第３用紙保持手段と、
前記第１用紙保持手段に保持されている第１の記録済み用紙の積み重ね順序を反転させて用紙を保持する反転手段と、
非画像形成状態で用紙を搬送可能に形成され、所定の電位が与えられた状態で画像信号が供給されることで像が形成される像担持体と、
前記反転手段により保持されている第１の記録済み用紙を所定枚数搬送して所定の排紙領域に排紙し、予め規定された枚数に達した時点で、次に搬送した第１の記録済み用紙を他の排紙領域に排紙した後、前記第２用紙保持手段により保持されている第２の記録済み用紙及び前記第３用紙保持手段により保持されている用紙のいずれか一方の用紙を搬送して前記所定の排紙領域に排紙するように制御する制御手段と、
を備えたことを特徴とする画像形成装置が提供される。
【００２２】
【発明の実施の形態】
以下、図面を参照してこの発明の画像形成装置の実施の形態について詳細に説明する
図１によれば、画像形成装置すなわちアナログ式複写装置は、読み取り手段として機能する画像読取部４と、画像形成手段として機能する画像形成部６と含む、装置本体２を有している。
【００２３】
画像読取部４は、装置本体２の上面に配設され、読取対象物すなわち原稿Ｄが載置される透明なガラスからなる原稿載置台１１と、原稿載置台１１の一端に配置され、原稿Ｄが載置されるべき位置を示すサイズ板１２とを有している。
【００２４】
装置本体２の上面には、原稿テーブル１１に対して原稿Ｄを１枚ずつ供給する自動原稿送り装置 (以下、ＡＤＦとする) １００が配置されている。このＡＤＦ１００は、原稿載置台１１に対して開閉可能に形成され、原稿載置台１１に載置された原稿Ｄを原稿載置台１１に密着させる原稿押さえとしても機能する。
【００２５】
原稿テーブル１１の下方すなわち装置本体２の内側には、原稿テーブル１１に載置された原稿Ｄを照明する露光ランプ１３、露光ランプ１３からの光を原稿Ｄに効率よく照射させるための補助反射板１４、及び、原稿Ｄからの反射光を所定の方向に折曲げる第１ミラー１５などを含み、原稿載置台１１と平行に移動可能に形成された第一キャリッジ１６が配置されている。第１キャリッジ１６は、原稿載置台１１と平行に移動可能に配置され、図示しない歯付きベルト等を介して図示しないパルスモータによって、原稿載置台に沿って平行に移動される。
【００２６】
原稿載置台１１の側方であって、第１ミラー１５により反射された反射光が案内される方向には、原稿載置台１１と平行に移動可能な第２のキャリッジ１７が配設されている。
【００２７】
第２のキャリッジ１７には、第１ミラー１５により案内される原稿Ｄからの反射光を順に折曲げる第２ミラー２０および第３ミラー２１が互いに直角に配置されている。第２のキャリッジ１７は、第１キャリッジ１６を駆動する歯付きベルトなどにより第１キャリッジ１６に従動されるとともに、第１キャリッジ１６に比較して１／２の速度で原稿載置台１１に沿って平行に移動される。
【００２８】
第一キャリッジ１６の下方であって、第２キャリッジ１７を介して折返された光の光軸を含む面内には、図示しない駆動機構を介して移動可能に形成され、第２キャリッジ１７からの反射光に集束性を与えるとともに、自身が移動することにより反射光を所定の倍率で結像させる結像レンズ２２、及び、相互に直角に配置され、レンズ２２により所定の倍率に対応する集束性が与えられた上記反射光の光路をさらに折り返すとともに、レンズ２２が移動されたことによる光路長すなわち原稿テーブル１１と後述する感光体ドラムとの間の距離の変動を、自身が移動することにより補正する第４ミラー２３および第５ミラー２４が配置されている。
【００２９】
画像形成部６は、装置本体２のほぼ中央に回転自在に位置された像担持体としての感光体ドラム３０を有している。感光体ドラム３０の表面には、画像読取部４の第６のミラー２５によって導かれた反射光すなわち画像情報が照射される。
【００３０】
感光体ドラム３０の周囲には、ドラム表面を所定の電荷に帯電させる帯電チャージャ３１、感光体ドラム３０の表面上に形成された静電潜像に現像剤としてのトナーを供給して所望の画像濃度で現像する現像器３２、後述する用紙カセットから給紙された被転写材すなわちコピー用紙Ｐに感光体ドラム３０に形成されたトナー像を転写するとともにトナー像が転写された用紙Ｐを感光体ドラム３０から分離させるための転写・剥離チャージャ３３、感光体ドラム３０の表面からコピー用紙Ｐを剥離する剥離爪３４、感光体ドラム３０の表面に残留したトナーを清掃する清掃装置３５、及び、感光体ドラム３０の表面に残った電位を除電する除電器３６が順に配置されている。
【００３１】
現像器３２の近傍には、現像剤としてのトナーを収納しているトナーホッパ３７、及び、トナーホッパ３７から現像器３２へトナーを補給するトナー搬送オーガ３８が設けられている。
【００３２】
装置本体２内の下部 (ドラム３０より下方) には、装置本体２から引出し可能な上段カセット４１、中段カセット４２および下段カセット４３が積層状態で配置されている。これらのカセットの側方には、大容量カセット４４が配置されている。
【００３３】
上段カセット４１、中段カセット４２および下段カセット４３は、横向きに置かれたＡ４サイズ (Ａ４Ｒ) のコピー用紙、Ｂ４サイズのコピー用紙およびＡ３サイズのコピー用紙を、それぞれ、５００枚程度収納可能に形成されている。大容量カセット４４は、使用頻度の高いサイズのコピー用紙、例えば、Ａ４サイズのコピー用紙を、約３０００枚収納可能に形成されている。
【００３４】
大容量カセット４４の上部には、各カセット４１，４２，４３および大容量カセット４４とは独立に、コピー用紙Ｐを給送可能な手差しフィーダ４５が形成されている。
【００３５】
手差しフィーダ４５と感光体ドラム３０ (後述、タイミングローラ対５８) との間には、手差しフィーダ４５に挿入された用紙Ｐを取り込む手差し用ピックアップローラ４６、ピックアップローラ４６により取り込まれた用紙Ｐをガイドする手差しガイド４７、及び、手差しガイド４７を介して感光体ドラム３０に向かって案内される用紙Ｐを搬送する搬送ローラ対４８が設けられている。また、手差しフィーダ４５の近傍には、挿入される用紙Ｐの有無を検知する用紙センサ４５ａが配置されている。
【００３６】
各カセット４１，４２，４３および大容量カセット４４と感光体ドラム３０との間には、各カセット４１，４２，４３および大容量カセット４４から感光体ドラム３０に向かって用紙Ｐを案内する搬送路５１が形成されている。この搬送路５１は、さらに、感光体ドラム３０と転写・剥離チャージャ３３との間に規定される転写領域を経て、装置本体２の外部まで延出されている。
【００３７】
転写領域を通過された用紙Ｐが進行する方向には、用紙Ｐを搬送する搬送ベルト５２が組み込まれている。搬送ベルト５２により用紙Ｐが搬送される方向であって、感光体ドラム３０に対して熱を与えにくい位置には、ローラ表面が互いに圧接されたヒートローラ対を含み、トナー像が転写された用紙Ｐを加熱することでトナー像を溶融させつつトナー像と用紙Ｐとを加圧して用紙Ｐにトナー像を定着させる定着装置５３が設けられている。
【００３８】
定着装置５３に対向した装置本体２の側壁には、定着装置５３によりトナー像が定着された用紙Ｐが排出される排出口５４および排紙トレイ５５が配置されている。
【００３９】
上段カセット４１、中段カセット４２、下段カセット４３の近傍および大容量カセット４４の近傍には、それぞれカセットあるいは大容量カセットから用紙を一枚づつ取り出すピックアップローラ５６が設けられている。また、搬送路５１には、ピックアップローラ５６によりいずれかのカセットまたは大容量カセットから取り出されたコピー用紙Ｐを、感光体ドラム３０に向かって搬送するための複数の給紙ローラ対５７が設けられている。
【００４０】
搬送路５１の感光体ドラム３０の近傍・上流側には、搬送路５１を案内されたコピー用紙Ｐの傾きを補正するとともに、感光体ドラム３０上のトナー像の先端とコピー用紙Ｐの先端とを整合させ、感光体ドラム外周面の移動速度と同じ速度でコピー用紙Ｐを転写部へ給紙するタイミングローラ対５８が配設されている。また、タイミングローラ対５８の手前すなわち給紙ローラ５７側には、コピー用紙Ｐの到達を検出するタイミング検知センサ５９が設けられている。
【００４１】
定着装置５３と排出口５４との間には、定着装置５３によりトナー像が定着されたコピー用紙Ｐを、後述する用紙反転部６４あるいは排出トレイ５５のいづれかに案内する排出切換ユニット６０が配置されている。
【００４２】
排出切換ユニット６０は、定着装置５３を通過された用紙Ｐを推進する第１および第２の排出ローラ対６１および６２、及び、第１および第２の排出ローラ対６１および６２の間で、定着装置５３からのコピー用紙Ｐを排出口５４あるいは後述する用紙反転部６４に、選択的に振り分ける振り分けゲート６３が配置されている。
【００４３】
感光体ドラム３０と上段カセット４１との間には、定着装置５３によりトナー像が定着されたコピー用紙Ｐを反転して再びタイミングローラ対５８へ送る反転機構６４が設けられている。
【００４４】
反転機構６４は、コピー用紙Ｐを一時的に集積する一時集積部６５、定着装置５３を通過したコピー用紙Ｐを反転して一時集積部６５に導く反転路６６、一時集積部に集積されたコピー用紙Ｐを一枚づつ取り出すピックアップローラ６７、一時集積部６５に収容されることで表裏が裏返された用紙Ｐを再びタイミングローラ対５８に案内する反転搬送路６８、及び、反転搬送路６８に案内された用紙Ｐをタイミングローラ対５８に向かって給紙する給紙ローラ６９を有している。
【００４５】
ＡＤＦ１００は、原稿Ｄが載置される原稿トレイ１０１と、原稿の有無を検出するエンプティセンサ１０２、原稿トレイ１０１から原稿を一枚づつ取り出すピックアップローラ１０３、取り出された原稿を搬送する給紙ローラ１０４、原稿の先端を整位するアライニングローラ対１０５、アライニングローラ対１０５の上流側に設けられ原稿の到達を検出するアライニングセンサ１０６、及び、原稿載置台１１のほぼ全体を覆うように配設された搬送ベルト１０７などを有している。
【００４６】
ＡＤＦ１００には、搬送ベルト１０７により搬送された原稿Ｄを反転させる反転ローラ１１０、反転ローラ１１０を介して案内される原稿を再び搬送ベルト１０７へ戻すか、所定の排出位置 (後述、ＡＤＦ本体カバー上) に排出させるかを切り換えるフラッパ１１１、フラッパ１１１が排出側に切り換えられている場合に、反転ローラ１１０により搬送された原稿Ｄを排出させる排紙ローラ１１２、及び、反転ローラ１１０の近傍での原稿のジャムを検知するジャムセンサ１１３などが配置されている。
【００４７】
ＡＤＦ１００の搬送ベルト１０７、ピックアップローラ１０３、給紙ローラ１０４、アライニングローラ対１０５、反転ローラ１１０、フラッパ１１１および排紙ローラ１１２などに代表される多くの回転・駆動要素は、本体カバー１２０により (利用者が) 不用意に触れることのないよう覆われている。
【００４８】
本体カバー１２０の所定の位置には、排出ローラ１１２により排出された原稿Ｄがストックされる原稿受け１２１、及び原稿受け１２１の原稿Ｄの有無を検知する排出原稿センサ１２２が配置されている。
【００４９】
また、図１に示すように、アナログ複写装置は、装置本体２の排出口５４から排出された複写済みの多数枚のコピー用紙を任意に仕分けして集積するソータ２００を備えている。
【００５０】
ソータ２００は、排出口５４に接続されているとともに装置本体２に並んで配置された筐体２０２を備えている。装置本体２の反対側に位置した筐体２０２の側面は開口２０３を有している。また、筐体２０２内には、垂直方向に沿って昇降可能なトレイユニット２０４が配設されている。トレイユニット２０４は、装置本体２から排出されたコピー用紙を集積するための多数のトレイが垂直方向に沿って積層状態に取り付けられている。
【００５１】
これらのトレイは、最上部に位置したノンソートトレイ２０５、およびノンソートトレイの下方に所定の隙間を持って積層された多数のソートトレイ２０６ａ、２０６ｂ、２０６ｃ…を含んでいる。そして、ノンソートトレイ２０５およびソートトレイ２０６ａ…は、開口２０３から筐体２０２の外方へ延出している。
【００５２】
また、筐体２０２内には、排出口５４と対向して設けられ排紙ローラ対６２によって送られたコピー用紙をノンソートトレイ２０５上に排出する送りローラ対２０８、排出口５４と送りローラ対２０８との間に位置したフラッパ２１０、フラッパ２１０に隣接して設けられたガイドローラ２２４、排出口とフラッパとの間に位置しコピー用紙の到達を検出する用紙センサ２２２が設けられている。
【００５３】
フラッパ２１０は、排紙ローラ６２から送られてきたコピー用紙を送りローラ対２０８に導く示す排出位置と、排紙ローラ６２から送られてきたコピー用紙をソートトレイ２０６ａ…側へ導く仕分け位置と、の間を回動自在に設けられ、図示しないソレノイドにより両位置間を切り換えられる。
【００５４】
筐体２０２内において、ガイドローラ２２４の下方には仕分けローラ２２６が配設され、ガイドローラと仕分けローラとの間には、フラッパ２１０により下方に向けられたコピー用紙を仕分けローラ２２６へ導くガイド２２８と、コピー用紙の到達を検出する用紙センサ２３０と、が設けられている。
【００５５】
上述したソータ２００によれば、フラッパ２１０が仕分け位置に切り換えられた状態において、装置本体１０の排出口５４から排出されたコピー用紙Ｐは、フラッパ２１０、ガイドローラ２２４およびガイド２２８により仕分けローラ２２６へ送られる。そして、コピー用紙Ｐは、仕分けローラ２２６により、これらの仕分けローラと対向して位置するソートトレイ２０６ａ…上に排出される。従って、トレイユニット２０４を図示しない昇降モータによって昇降駆動することにより、仕分けローラ２２６と対向するソートトレイ２０６ａ…上に順次コピー用紙Ｐを排出し、仕分けすることができる。
【００５６】
図２には、図１に示した複写装置に対して情報を入力するための操作パネルが示されている。なお、この操作パネルは、原稿テーブル１１の近傍に配置されている。
【００５７】
図２に示されるように、操作パネル３００は、装置本体２およびＡＤＦ１００の動作状態およびさまざまな複写条件等を表示する液晶表示装置３０１を有している。
【００５８】
また、操作パネル３００は、一連の所定の順序、例えばページ番号順に複写され、積み重ねられた複写済み用紙の所定の用紙間、すなわちページ間に他の複写済み用紙を追加するページ追加モードを設定するための追加ボタン３１０、及び複写済み用紙の一部の用紙、すなわち一部のページを他の複写済み用紙に差し替えるページ差替えモードを設定するための差替えボタン３１１、を有している。
【００５９】
液晶表示装置３０１には、装置２の動作モード、及び動作モードに対応したメッセージ等を表示するメッセージ表示部３０２、複写倍率を表示する倍率表示部３０３、ページ追加モード、及びページ差替えモード時に、１部当りの複写済み用紙の枚数、すなわちページ数を表示するページ数表示部３０４、一連の複写済み用紙の部数を表示する部数表示部３０５、及びページ追加モード時に何ページ目の後に他の複写済み用紙を追加するか、或はページ差替えモード時に何ページ目を差し替えるかを表示するページエリア表示部３０６を有する。液晶表示装置３０１には、詳述しない液晶パネルフォントＲＯＭに記憶されている表示データに基づいてさまざまな表示パターンおよびメッセージ等が表示される。
【００６０】
操作パネル３００にはまた、０〜９の１０個の数字に対応する入力信号、例えば、複写枚数、１部当りのページ数、部数等を入力可能に形成された数字キー３０７、入力された複写枚数をクリアするクリアキー３０８、複写の開始を指示する複写開始キー、すなわちコピーキー３０９のさまざまな入力キーが配置されている。
【００６１】
図３には、装置本体２の制御に利用される制御系の概略ブロック図が示されている。
図３によれば、装置本体２は、主制御装置としてのＣＰＵ７７、このＣＰＵ７７に接続され、装置本体２を動作させるためのプログラムが記憶されているＲＯＭおよび図示しない入力部を介して入力されたデータなどが一時的に記憶されるＲＡＭなどを含むメモリ７８、及び、後述するＡＤＦ１００との信号の受け渡しに利用される内部バス７９などを有している。
【００６２】
ＣＰＵ７７には、露光ランプ１３を点灯するランプ点灯回路８１、第一および第二キャリッジ１６および１７を移動させる図示しないパルスモータ、感光体ドラム３０および現像器３２を回転させる図示しない主モータ、及び、給紙ローラなどを回転させる図示しない小型モータなどに代表されるモータを、それぞれ、所定の速度で回転させるためのモータ駆動回路８２、帯電チャージャ３１および転写・剥離チャージャ３３に所定の電圧を提供する高電圧発生回路８３、剥離爪３４、清掃器３５および振り分けゲート６３などに利用される図示しないソレノイドなどをオン／オフするメカニカルコントローラ８４、搬送路５１中に配置され用紙Ｐの通過／ジャムを検知するために利用される図示しない複数のセンサからのオン／オフ信号が入力される入力回路８５、定着装置５３の定着温度を制御する温度制御回路８６、および、入力装置たとえば操作パネル２００などとＣＰＵ７７との接続を可能にするインタフェース８７などが接続されている。
【００６３】
ＡＤＦ１００は、ＡＤＦ１００の主制御装置としてのＡＤＦＣＰＵ１３０を有している。ＡＤＦＣＰＵ１３０は、内部バス７９を介して装置本体２のＣＰＵ７７と接続されている。
【００６４】
ＡＤＦＣＰＵ１３０には、ピックアップローラ１０３、給紙ローラ１０４およびアライニングローラ対１０５を駆動する図示しない給紙モータ、搬送ベルト１０７を回転させる図示しない搬送モータ、及び、搬送ローラ１０７、反転ローラ１１０および排紙ローラ１１２を駆動する図示しない排出モータを付勢するモータ駆動回路１３１、エンプティセンサ１０２、アライニングセンサ１０６、ジャムセンサ１１３および排出原稿センサ１２２からの検出信号をＣＰＵ１３０に入力するための入力回路１３２、図示しない給紙モータの回転をアライニングローラ対１０５に伝達する (アライニングローラ対１０５をオン／オフする) ための図示しないクラッチあるいはフラッパ１１１を切り換えるために利用される図示しないソレノイドを駆動するためのメカニカルコントローラ１３３などが接続されている。
【００６５】
次に、この複写装置２に備えられた動作モード、すなわちページ追加モード、及びページ差替えモードについて図面を参照して説明する。
図４の（ａ）および（ｂ）は、ページ追加モードを説明するための一例を示す図である。
【００６６】
ページ追加モードは、一連の所定の順序、例えば、ページ番号順に積み重ねられた複写済み用紙の所定の用紙間、すなわちページ間に他の複写済み用紙を追加する機能である。
【００６７】
図４の（ａ）は、一連のページ番号順に複写され、大きいページ番号の用紙の上に小さいページ番号の用紙を積み重ねるようにして順に積層された５枚、すなわち５ページの複写済み用紙の２ページ目と３ページ目の用紙の間に既に複写された他の複写済み用紙を１枚、すなわち１ページ追加する場合の例を示している。
【００６８】
小さいページ番号の用紙が上になるように積み重ねられた複写済み用紙は、所定の用紙カセット、例えば大容量カセット（以下、ＬＣＣと称する）４４にセットされる。
【００６９】
一方、追加するページに相当する１枚の複写済み用紙は、手差しフィーダ４５にセットされる。
なお、他の複写済み用紙が追加される一連の複写済み用紙の部数が、この例のように１部の場合、用紙が排紙されるトレイは、ソータ２００のノンソートトレイ２０５が選択される。
【００７０】
ＬＣＣ４４にセットされた５枚の用紙は、ＣＰＵ７７の制御に基づいて、反転機構６４の一時集積部６５に集積順序が反転されて集積される。この時、ＬＣＣ４４にセットされた用紙は、その最上部の用紙、すなわち１ページ目に相当する用紙から順に反転機構６４を介して一時集積部６５に集積される。このため、一時集積部６５に集積された用紙は、ページ番号が大きい用紙を上にして積み重ねられている。これは、ノンソートトレイ２０５に用紙を排紙したときに、排紙順が逆になることを防ぐためである。また、ＬＣＣ４４から一時集積部６５に用紙を搬送する間は、画像形成部６は、作動されない。なお、感光体ドラム３０に原稿画像に対応した静電潜像、およびトナー像が形成されないように制御されていれば、画像形成部が作動していてもよい。つまり、ページ追加モードが設定されている場合、ＬＣＣ４４から一時集積部６５に搬送される複写済み用紙に原稿画像に対応する画像は形成されない。
【００７１】
次に、画像形成部６を介してノンソートトレイ２０５に向けて用紙を給紙する給紙場所が一時集積部６５に設定され、一時集積部６５に集積されていた用紙は、最上部の用紙、すなわちページ番号の最も大きい用紙から順に１枚ずつノンソートトレイ２０５に排紙される。なお、この時も上述したように、画像形成部を通過する際に、用紙に画像は形成されない。
【００７２】
そして、追加ページの直前のページ、すなわち３ページ目までノンソートトレイ２０５に排紙された後、給紙場所が手差しフィーダ４５にセットされ、手差しフィーダ４５から追加ページに相当する用紙が供給される。この時、供給された用紙は、画像を形成することなくノンソートトレイ２０５に排紙される。つまり、ページ追加モードに設定され、追加するページに相当する用紙が複写済みの場合、すなわち手差しフィーダ４５に追加する複写済みの用紙がセットされている場合には、この用紙は、画像を形成されることなく画像形成部６を通過され、ノンソートトレイ２０５に排紙される。そして、ノンソートトレイ２０５に排紙された３ページ目の用紙の上に追加ページに相当する用紙が積み重ねられる。
【００７３】
続いて、再び給紙場所が一時集積部６５にセットされ、一時集積部６５に集積されている用紙の最上部に相当する用紙、すなわち２ページ目に相当する用紙から順にノンソートトレイ２０５に排紙される。そして、一時集積部６５に集積されていた用紙がすべて排紙される。
【００７４】
ノンソートトレイ２０５に排紙された用紙は、小さいページ番号の用紙が上になるように積み重ねられ、２ページ目と３ページ目の用紙の間には、追加ページに相当する用紙が追加されている。
【００７５】
図４の（ｂ）は、一連のページ番号順に複写され、小さいページ番号の用紙が上になるように積み重ねられた５ページの複写済み用紙が２部準備され、５ページ×２部の各部の複写済み用紙に対して２ページ目と３ページ目の用紙の間に他の複写済み用紙を１枚、すなわち１ページ追加する場合の例を示している。
【００７６】
この場合、追加するページに相当する用紙は、予め複写された複写済み用紙ではなく、原稿であるため、画像形成部６を作動させて原稿画像を所定の用紙に複写した後、所定のページ間に追加される。
【００７７】
すなわち、５ページ×２部の複写済み用紙は、ページ番号の小さい用紙が上になるように積み重ねられた５枚の複写済み用紙が２部重ねられた状態に積層されている。この５ページ×２部の複写済み用紙は、ＬＣＣ４４にセットされる。
【００７８】
そして、これらの複写済み用紙は、上述したように、画像を形成することなく反転機構６４の一時集積部６５に集積順序、すなわちページ番号が反転するように集積される。
【００７９】
一方、追加ページに相当する原稿は、ＡＤＦ１００に載置される。
一連の複写済み用紙が複数部、すなわち２部以上ある場合には、搬送された用紙が各部毎にソータ２００のソートトレイ２０６ａ…に排紙されるように設定される。この実施の形態では、一連の複写済み用紙は、２部あるので、一方はソートトレイの１ビン２０６ａに排紙され、他方は、ソートトレイの２ビン２０６ｂに排紙される。
【００８０】
そして、用紙を排紙口５４側に供給する給紙場所が一時集積部にセットされ、一時集積部６５に集積されている最上部の複写済み用紙、すなわち５ページ目に相当する用紙から順に１枚ずつ取り出され、画像形成部６において画像を形成することなく排紙口５４側に向けて搬送される。
【００８１】
排紙口５４まで搬送された用紙は、ソータ２００の仕分けローラ２２６により１ビン２０６ａに排紙される。
そして、追加ページの直前、すなわち３ページ目まで１ビン２０６ａに排紙された後、ＡＤＦ１００に載置されている原稿が原稿テーブル１１にセットされる。そして、原稿サイズに対応する給紙カセットに給紙場所が設定され、その給紙カセットから画像が形成されていない未複写の用紙が供給され、画像形成部６において原稿画像に対応した画像が形成された後、１ビン２０６ａに排紙される。従って、複写済みの３ページ目の用紙の上に、原稿画像が複写された用紙が積み重ねられる。
【００８２】
続いて、給紙場所が再び一時集積部６５にセットされ、一時集積部６５に集積されている最上部の用紙、すなわち２ページ目に相当する用紙から順に１ビン２０６ａに排紙される。
【００８３】
一連の複写済み用紙の１部数がすべて排紙された後、つまり１部数の１ページ目に相当する用紙まで１ビン２０６ａに排紙された後、ソータユニット２０４が移動され、排紙トレイが２ビン２０６ｂに設定される。
【００８４】
そして、一時集積部６５の最上部の用紙から順に１枚づつ取り出され、画像形成部６において画像が複写されることなく、２ビン２０６ｂに排紙される。以下同様に、追加ページの直前、すなわち３ページ目まで２ビン２０６ｂに排紙された後、原稿テーブル１１にセットされている原稿の原稿サイズに対応する給紙カセットに給紙場所が設定され、その給紙カセットから画像が形成されていない未複写の用紙が供給され、画像形成部６において原稿画像に対応した画像が形成された後、２ビン２０６ｂに排紙される。
【００８５】
続いて、給紙場所が再び一時集積部６５にセットされ、一時集積部６５に集積されている最上部の用紙、すなわち２ページ目に相当する用紙から順に２ビン２０６ｂに排紙される。そして、１ページに相当する複写済み用紙が２ビン２０６ｂに排紙されると、第２部目の一連の複写済み用紙がすべて排紙されたことになる。
【００８６】
第１及び第２ビン２０６ａ及び２０６ｂに排紙された用紙は、それぞれ小さいページ番号に相当する用紙が上になるように積み重ねられ、２ページ目と３ページ目の用紙の間には、追加ページに相当する用紙が追加されている。
【００８７】
なお、この実施の形態では、追加ページに相当する原稿が１ページの場合について説明したが、ＡＤＦ１００の代わりに循環式の自動原稿送り装置を利用することによって、複数ページの原稿に対応した追加ページを複数部数追加することが可能である。
【００８８】
次に、ページ差替えモードについて説明する。
図５の（ａ）および（ｂ）は、ページ差替えモードを説明するための一例を示す図である。
【００８９】
ページ差替えモードは、一連の所定の順序、例えばページ番号順に積み重ねられた複写済み用紙の一部のページに相当する用紙を他の複写済み用紙に差し替える機能である。
【００９０】
図５の（ａ）は、一連のページ番号順に複写され、小さいページ番号の用紙が上になるように積み重ねられた５ページの複写済み用紙が２部数準備され、５ページ×２部数の各部数の複写済み用紙に対して２ページ目の用紙の間に他の複写済み用紙１枚、すなわち１ページに差し替える場合の例を示している。
【００９１】
この場合、差し替えるページに相当する用紙は、予め複写された複写済み用紙であって、手差しフィーダ４５に２部数セットされる。
５ページ×２部数の複写済み用紙は、ページ番号の小さい用紙が上になるように積み重ねられた５枚の複写済み用紙が２部重ねられた状態に積層されている。この５ページ×２部数の複写済み用紙は、ＬＣＣ４４にセットされる。
【００９２】
そして、この一連の５ページ×２部数の複写済み用紙は、上述したように、画像を形成することなく反転機構６４の一時集積部６５に集積順序、すなわち大きいページ番号の用紙が上になるように集積される。
【００９３】
一連の複写済み用紙が複数部、すなわち２部以上ある場合には、搬送された用紙が各部毎にソータ２００のソートトレイ２０６ａ…に排紙されるように設定される。この実施の形態では、一連の複写済み用紙は、２部あるので、一方は１ビン２０６ａに排紙され、他方は、２ビン２０６ｂに排紙される。
【００９４】
そして、用紙を排紙口５４側に供給する給紙場所が一時集積部にセットされ、一時集積部６５に集積されている最上部の複写済み用紙、すなわち１部数目の５ページ目に相当する用紙から順に１枚ずつ取り出され、画像形成部６において画像を形成することなく排紙口５４側に向けて搬送される。
【００９５】
排紙口５４まで搬送された用紙は、ソータ２００の仕分けローラ２２６により１ビン２０６ａに排紙される。
そして、差替えページの直前、すなわち３ページ目に相当する複写済み用紙が１ビン２０６ａに排紙された後、３ビン２０６ｃが排紙トレイとなるようにソータユニット２０４が移動される。続いて、一時集積部６５に集積されている最上部の用紙、すなわち差替えページに相当する２ページ目の用紙が３ビン２０６ｃに排紙される。
【００９６】
差替えページに相当する用紙が排紙された後、再び１ビン２０６ａが排紙トレイとなるようにソータユニット２０４が移動される。
そして、ＡＤＦ１００に原稿が載置されず、手差しフィーダ４５に用紙が挿入されていることを検知して、給紙場所が手差しフィーダ４５にセットされる。続いて、手差しフィーダ４５から予め複写された複写済みの用紙が装置本体２内に取り込まれ、画像形成部６において画像が複写されることなく１ビン２０６ａに排紙される。従って、複写済みの３ページ目の用紙の上に、新たに差し替えられた複写済み用紙が積み重ねられる。
【００９７】
続いて、給紙場所が再び一時集積部６５にセットされ、一時集積部６５に集積されている最上部の用紙、すなわち１ページ目に相当する用紙が１ビン２０６ａに排紙される。
【００９８】
１部目の一連の複写済み用紙がすべて排紙された後、ソータユニット２０４が移動され、排紙トレイが２ビン２０６ｂに設定される。
そして、一時集積部６５の最上部の用紙から順に１枚づつ取り出され、画像形成部６において画像が複写されることなく、２ビン２０６ｂに排紙される。以下同様に、差替えページの直前、すなわち３ページ目まで２ビン２０６ｂに排紙された後、ソータユニット２０４が移動され、排紙トレイが３ビン２０６ｃに設定される。
【００９９】
続いて、３ビン２０６ｃに差替えページに相当する２ページ目の用紙が排紙される。
この後、再びソータユニット２０４が移動され、排紙トレイが２ビン２０５ｂに設定される。
【０１００】
そして、給紙場所が手差しフィーダ４５にセットされ、手差しフィーダ４５から複写済み用紙が画像を形成されることなく２ビン２０５ｂに排紙される。
続いて、給紙場所が再び一時集積部６５にセットされ、一時集積部６５に集積されている最上部の用紙、すなわち１ページ目に相当する用紙が２ビン２０６ｂに排紙される。
【０１０１】
第１及び２ビン２０６ａ及び２０６ｂに排紙された用紙は、それぞれ小さいページ番号に相当する用紙が上になるように積み重ねられ、２ページ目の用紙が、新たに差替えページに相当する複写済み用紙に差し替えられている。また、一連の複写済み用紙の２ページ目に相当する用紙は、不要な用紙として３ビン２０６ｃに排紙される。
【０１０２】
図５の（ｂ）は、一連のページ番号順に複写され、小さいページ番号の用紙が上になるように積み重ねられた５ページの複写済み用紙が２部数準備され、５ページ×２部数の各部数の複写済み用紙に対して４ページ目の用紙の間に他の複写済み用紙１枚、すなわち１ページに差し替える場合の例を示している。
【０１０３】
この場合、差し替えるページに相当する用紙は、予め複写された複写済み用紙ではなく、原稿であるため、画像形成部６を作動させて原稿画像を所定の用紙に複写した後、所定のページに相当する用紙と差し替えられる。
【０１０４】
５ページ×２部数の複写済み用紙は、ページ番号の小さい用紙が上になるように積み重ねられた５枚の複写済み用紙が２部重ねられた状態に積層されている。この５ページ×２部数の複写済み用紙は、ＬＣＣ４４にセットされる。
【０１０５】
そして、これらの複写済み用紙は、上述したように、画像を形成することなく反転機構６４の一時集積部６５に集積順序、すなわちページ番号が反転するように集積される。
【０１０６】
一方、差替えページに相当する原稿は、ＡＤＦ１００に載置される。
そして、給紙場所が一時集積部にセットされ、一時集積部６５に集積されている最上部の複写済み用紙、すなわち１部数目の５ページ目に相当する用紙から順に１枚ずつ取り出され、画像形成部６において画像を形成することなく排紙口５４側に向けて搬送される。
【０１０７】
排紙口５４まで搬送された用紙は、ソータ２００の仕分けローラ２２６により１ビン２０６ａに排紙される。
そして、差替えページの直前、すなわち５ページ目に相当する複写済み用紙が１ビン２０６ａに排紙された後、３ビン２０６ｃが排紙トレイとなるようにソータユニット２０４が移動される。続いて、一時集積部６５に集積されている最上部の用紙、すなわち差替えページに相当する４ページ目の用紙が３ビン２０６ｃに排紙される。差替えページに相当する用紙が排紙された後、再び１ビン２０６ａが排紙トレイとなるようにソータユニット２０４が移動される。
【０１０８】
次に、ＡＤＦ１００に載置されている原稿が原稿テーブル１１にセットされる。そして、原稿サイズに対応する給紙カセットに給紙場所が設定され、その給紙カセットから画像が形成されていない未複写の用紙が供給され、画像形成部６において原稿画像に対応した画像が形成された後、１ビン２０６ａに排紙される。従って、差替えページに相当する原稿画像が複写された用紙は、４ページ目に相当する用紙として差し替えられ、１ビン２０６ａに排紙された５ページ目に相当する一連の複写済み用紙の上に積み重ねられる。
【０１０９】
続いて、給紙場所が再び一時集積部６５にセットされ、一時集積部６５に集積されている最上部の用紙、すなわち３ページ目に相当する用紙から順に１ビン２０６ａに排紙される。
【０１１０】
１部目の一連の複写済み用紙がすべて排紙された後、ソータユニット２０４が移動され、排紙トレイが２ビン２０６ｂに設定される。
そして、一時集積部６５の最上部の用紙から順に１枚づつ取り出され、画像形成部６において画像が複写されることなく、２ビン２０６ｂに排紙される。以下同様に、差替えページの直前、すなわち５ページ目まで２ビン２０６ｂに排紙された後、ソータユニット２０４が移動され、排紙トレイが３ビン２０６ｃに設定される。そして、３ビン２０６ｃに差替えページに相当する４ページ目の用紙が排紙される。この後、再びソータユニット２０４が移動され、排紙トレイが２ビン２０５ｂに設定される。
【０１１１】
次に、ＡＤＦ１００に載置されている原稿が原稿テーブル１１にセットされる。そして、原稿サイズに対応する給紙カセットに給紙場所が設定され、その給紙カセットから画像が形成されていない未複写の用紙が供給され、画像形成部６において原稿画像に対応した画像が形成された後、２ビン２０６ｂに排紙される。
【０１１２】
続いて、給紙場所が再び一時集積部６５にセットされ、一時集積部６５に集積されている最上部の用紙、すなわち３ページ目に相当する用紙が２ビン２０６ｂに排紙される。
【０１１３】
第１及び２ビン２０６ａ及び２０６ｂに排紙された用紙は、それぞれ小さいページ番号に相当する用紙が上になるように積み重ねられ、４ページ目に相当する用紙が新たに複写された用紙に差し替えられている。そして、一連の複写済み用紙の４ページ目に相当する用紙は、不要な用紙として３ビン２０６ｃに排紙される。
【０１１４】
次に、この複写装置２の動作の特徴について図面を参照して説明する。
まず、原稿テーブル１１に載置された原稿画像を通常に複写する通常モードについて図１乃至図３を参照して説明する。
【０１１５】
通常モードでは、複写すべき原稿ＤがＡＤＦ１００の原稿トレイ１０１にセットされたのち、操作パネル３００の複写開始キー３０９がオンされることで、ＡＤＦＣＰＵ１３０によりエンプティセンサ１０２がオンであることが確認されるとともに、ＡＤＦＣＰＵ１３０の指示に対応するモータ駆動回路１３１からの給紙モータへの駆動電流の供給にともなってピックアップローラ１０３が駆動され、原稿トレイ１０１にセットされた原稿Ｄの最下部の原稿が給紙ローラ１０４に案内される。
【０１１６】
給紙ローラ１０４に案内された原稿Ｄは、給紙ローラ１０４により、さらに、アライニングローラ対１０５に向かって搬送される。ここで、原稿Ｄの先端がアライニングセンサ１０６を通過されることによりメカニカルコントローラ１３３を介して図示しないクラッチがオンされ、アライニングローラ対１０５が停止される。これにより、ピックアップローラ１０３を介して原稿トレイから取り出された原稿Ｄが一時的に停止されることで、原稿Ｄにおける原稿搬送方向に対する傾きが補正されるとともに、画像形成のタイミングの基準となる原稿Ｄの先端位置が特定される。
【０１１７】
続いて、ＡＤＦＣＰＵ１３０の制御によるモータ駆動回路１３１からの図示しない搬送モータへの駆動電流により搬送モータが回転され、搬送ベルト１０７が回転される。搬送ベルト１０７が回転されたのち所定のタイミング (たとえば、搬送ベルト１０７の回転が所定の回転に達した時点) で、メカニカルコントローラ１３３を介して図示しないクラッチがオフされ、アライニングローラ対１０５から搬送ベルト１０７へ原稿Ｄが給送される。こののち、搬送モータにより搬送ベルト１０７が所定時間回転されることで、原稿Ｄが装置本体２の原稿テーブル１１上に搬送される。なお、搬送ベルト１０７は、原稿Ｄの後端がアライニングセンサ１０６を通過されてから一定時間 (アライニングセンサ１０６と指示板１２との間隔により予め決められている) 経過後に停止される。
【０１１８】
一方、アライニングセンサ１０６により原稿Ｄの先端が検知された時点で、内部バス７９を介して、ＡＤＦＣＰＵ１３０から (装置本体２の) ＣＰＵ７７に対し、原稿Ｄが搬送されていることが報知される。これにより、装置本体２では、ＣＰＵ７７からの指示に応じて、画像読取部４および画像形成部６の各部が、画像形成のための準備段階に移行される。
【０１１９】
搬送ベルト１０７が停止されることにより、 (複写用) 原稿搬送の終了がＡＤＦＣＰＵ１３０によりチェックされると、複写可能信号が、内部バス７９を介してＡＤＦＣＰＵ１３０からＣＰＵ７７に出力される。
【０１２０】
これにより、ＣＰＵ７７の指示に対応するモータ駆動回路８２の制御により図示しない主モータが回転され、感光体ドラム３０が所定の速度で回転される。同時に、 (ＣＰＵ７７の指示に対応する) 高電圧発生回路８３により、帯電チャージャ３１および転写・剥離チャージャ３３から感光体ドラム３０に所定の電位が与えられる。
【０１２１】
続いて、 (ＣＰＵ７７の指示に対応する) ランプ点灯回路８１により第一キャリッジ１６の照明ランプ１３が所定の明るさで点灯され、モータ駆動回路８２の制御によるパルスモータの回転により、原稿テーブル１１上の原稿Ｄに沿って、第一キャリッジ１６が、所定の速度で移動される。
【０１２２】
原稿テーブル１１に載置された原稿Ｄに記録されている画像情報は、露光ランプ１３および反射板１４を介して照明されることにより生じる反射光として、第一キャリッジ１６の第１ミラー１５、第二キャリッジ１７の第２ミラー２０および第３ミラー２１、結像レンズ２２、第４ミラー２３および第５ミラー２４、及び、露光ミラー２５を順に通過 (または反射) されて、感光体ドラム３０に案内される。
【０１２３】
感光体ドラム３０に案内された原稿Ｄからの反射光すなわち画像情報は、感光体ドラム３０により、画像情報に対応した静電潜像に変換される。感光体ドラム３０上の静電潜像は、現像装置３２により供給されるトナーによりトナー像として現像されたのち、転写・剥離装置３３を介して、所定のカセットからタイミングローラ５８まで給送されている用紙Ｐに、タイミングローラ５８により用紙Ｐの先端と感光体ドラム３０上のトナー像の位置とが整合された状態で、用紙Ｐに転写される。
【０１２４】
トナー像が転写された用紙Ｐは、剥離爪３４および転写・剥離装置３３により感光体ドラム３０から剥離され、搬送装置５２を介して定着装置５３に搬送されて、定着装置５３によりトナー像すなわちトナーが固着されて、排出口５４側または反転部６４に案内される。排出口５４側に案内された用紙Ｐは、排出光に接続されているソータ２００の所定のソートトレイに排紙される。
【０１２５】
トナー像を用紙に引き渡した感光体ドラム３０は、清掃装置３５および除電器３６により表面に残った電荷およびトナーが除去されたのち、再び、次の画像形成に利用される。
【０１２６】
なお、複写枚数が２以上の場合、あるいは次の原稿が原稿テーブル１１上に供給された場合には、ＣＰＵ７７の制御により、上記一連の複写工程が繰り返される。
【０１２７】
一方、ここまでの複写工程における所定の工程、たとえば、用紙Ｐの後端がタイミングローラ５８を通過された時点で、入力回路８５を介してＣＰＵ７７に、用紙Ｐの通過が報知される。
【０１２８】
用紙Ｐの通過がＣＰＵ７７に報知された時点で、ＣＰＵ７７により、入力装置としての操作パネル３００により入力されている複写部数が１であるか否かおよび入力されている複写部数に対応する複写が繰り返されたか否かがチェックされる。ここで、現在原稿テーブル１１上に位置されている原稿Ｄに関する複写が終了したことが確認された場合には、内部バス７９を介して、ＣＰＵ７７からＡＤＦＣＰＵ１３０に、次の原稿Ｄの給送 (原稿入れ換え) が要求される。
【０１２９】
装置本体２のＣＰＵ７７によりＡＤＦ１００に原稿入れ換えが要求されると、ＡＤＦＣＰＵ１３０の制御によるモータ駆動回路１３１からの図示しない搬送モータへの駆動電流により搬送モータが回転され、再び、搬送ベルト１０７が回転される。これにより、現在原稿テーブル１１にセットされている第一の原稿が反転ローラ１１０に向かって搬送される。
【０１３０】
反転ローラ１１０に向かって搬送された原稿Ｄは、フラッパ１１１および排紙ローラ１１２により本体カバー１２０の原稿受け１２１に排出される。同時に、所定のタイミング (たとえば、ジャムセンサ１１３により第一の原稿の先端部が検知された時点) で、ＣＰＵ１３０の制御によりピックアップローラ１０３が駆動され、原稿トレイ１０１にセットされている原稿Ｄから第二の原稿が給紙ローラ１０４に案内される。以下、第一の原稿と同様にして、原稿テーブル１１に、第二の原稿がセットされ、第２の原稿に関する複写工程が開始される。
【０１３１】
なお、原稿Ｄが両面原稿で、かつ、操作パネル３００により両面複写モードが設定されている場合には、メカニカルコントローラ１３３による指示に応じて切り換えられているフラッパ１１１および引き続いて回転されている反転ローラ１１０により、第一の原稿が搬送ベルト１０７に戻され、第二の原稿の給送に先だって、第一の原稿の背面の画像情報が複写されることはいうまでもない。
【０１３２】
上述した原稿給送動作および画像形成動作が繰り返され、原稿トレイ１０１にセットされた全ての原稿Ｄが原稿受け１２１に排出されると、ジャムセンサ１１３、アライニングセンサ１０６およびエンプティセンサ１０２の全ての出力がオフに変化される。このセンサからの検知信号が全てオフになったことが入力回路１３２を介してＡＤＦＣＰＵ１３０に報知されることで、ＣＰＵ１３０ (本体側のＣＰＵ７７であってもよい) に内蔵されているカウンタが動作され、全ての原稿Ｄが排出されてから原稿Ｄが原稿受け１２１上に位置されている時間が計数される。
【０１３３】
次に、この複写装置に備えられた特徴的な機能としてのページ追加モード及びページ差替えモードの動作について説明する。
図６は、ページ追加モード及びページ差替えモードを設定するためのフローチャートである。
【０１３４】
ページ追加モードを設定する場合、オペレータにより図２に示した操作パネル３００に配置された追加ボタン３１０がオンされる。また、この時、ページ追加モードを実行する、所定の順序、例えばページ番号順に複写され、積み重ねられた所定部数の一連の複写済み用紙が、所定の給紙カセット、たとえばＬＣＣ４４に収納される。
【０１３５】
スタンバイされていた複写装置本体２のＣＰＵ７７は、図６に示すように、ＳＴ１において追加ボタン３１０がオンされたことを検知する。そして、ＣＰＵ７７は、所定の文字データをメモリ７８内のＲＯＭから呼び出し、インターフェース８７を介して、図８に示すようなメッセージを操作パネル３００の液晶表示装置３０１に表示させるように制御する。
【０１３６】
液晶表示装置３０１は、上述したように、メッセージ表示部３０２、倍率表示部３０３、ページ数表示部３０４、部数表示部３０５、及びページエリア表示部３０６を有している。
【０１３７】
ＣＰＵ７７は、メッセージ表示部３０２に、まず、図８の（ａ）に示すようなメッセージを表示させ、ページ追加モードについての説明を必要とする場合には、説明文に対応する文字データをＲＯＭから呼び出し、メッセージ表示部３０２に表示させる。
【０１３８】
説明を必要としない場合には、ＣＰＵ７７は、図８の（ｂ）に示すようなメッセージをメッセージ表示部３０２に表示させる。
このメッセージに基づいて、オペレータが入力キー３０７を利用して１部当りのページ数を入力すると、ＣＰＵ７７は、図８の（ｃ）に示すようにページ数表示部３０４にページ数を表示させるとともに、メッセージ表示部３０２に次の指示内容に相当するメッセージを表示させる。
【０１３９】
このメッセージに基づいて、オペレータが入力キー３０７を利用して部数を入力すると、ＣＰＵ７７は、図８の（ｄ）に示すように、部数表示部３０５に部数を表示させるとともに、メッセージ表示部３０２に次の指示内容に相当するメッセージを表示させる。
【０１４０】
このメッセージに基づいて、オペレータが入力キー３０７を利用して追加するページの直前のページ番号を入力すると、ＣＰＵ７７は、図８の（ｅ）に示すように、ページエリア表示部３０６にページ番号を表示させるとともに、次の指示内容に相当するメッセージをメッセージ表示部３０２に表示させる。
【０１４１】
そして、ＣＰＵ７７は、図６に示したＳＴ２において必要事項、すなわち１部当りのページ数、部数、及び追加ページの直前のページ番号がすべて入力されたかを検知する。
【０１４２】
操作パネル３００の入力キー３０７を利用して入力された必要事項は、ＳＴ３において、インターフェース８７を介してＣＰＵ７７に転送された後、メモリ７８内のＲＡＭに書き込まれる。
【０１４３】
次に、オペレータは、図８の（ｅ）に示したようなメッセージに基づいてコピーボタン３０９をオンする。
ＣＰＵ７７は、図６に示したＳＴ４において、コピーボタン３０９がオンされたか否かを検知する。コピーボタン３０９がオンされた場合には、ＣＰＵ７７は、コピー処理に移行する。
【０１４４】
なお、ＳＴ４において、コピーボタン３０９がオンされずに所定の時間が経過した場合には、ＣＰＵ７７は、スタンバイ状態に初期化される。
図７は、コピー処理の流れをページ追加モード及びページ差替えモードについて示したフローチャートである。
【０１４５】
図７に示したように、ＳＴ１において、追加ボタン３１０、または差替えボタン３１１がオンされずに、コピーボタン３０９がオンされた場合には、ＣＰＵ７７は、ＳＴ５において上述したような通常モードで通常コピー処理を実行するように装置本体２を制御する。
【０１４６】
ＳＴ１において、追加ボタン３１０がオンされ、かつコピーボタン３０９がオンされた場合、ＣＰＵ７７は、ＳＴ６においてＬＣＣ４４に収納されていた一連の複写済み用紙を一時集積部６５に集積するように制御する。
【０１４７】
そして、ＣＰＵ７７は、ＳＴ７において、ＲＡＭに書き込まれたページ数（ＰＡＧＥ）、部数（ＢＵＳＵ）、及び追加ページの直前のページ番号（ＴＵＩＫＡ）、または差替えページのページ番号（ＳＡＳＨＩ）等の入力データを呼び出す。図８に示した実施の形態では、ＰＡＧＥ＝５，ＢＵＳＵ＝２，ＴＵＩＫＡ＝２である。コピー処理において、コピー枚数の初期値は、ページ数データ、すなわち５に設定される。このコピー枚数は、一時集積部に収納されている用紙が１枚ずつ搬送されて排紙される毎にカウントダウンされ、また、コピー枚数が０になった時点で部数データがカウントダウンされる。
【０１４８】
次に、ＣＰＵ７７は、ＳＴＡにおいて、コピー枚数が追加ページの直前のページ番号に一致するか、すなわちコピー枚数＝ＴＵＩＫＡか否か、ＳＴＢにおいて、コピー枚数が差し替えページのページ番号に一致するか、すなわちコピー枚数＝ＳＡＳＨＩか否か、及びＳＴＣにおいて、一時集積部に収納されている用紙がすべて排紙されたか、すなわちコピー枚数＝０か否か、を判別した後、ＳＴ８において、給紙場所を一時集積部に設定する。
【０１４９】
そして、ＣＰＵ７７は、一時集積部から集積されている用紙を１枚ずつ排紙させる。なお、ＢＵＳＵ＝１の時は、ＣＰＵ７７は、排紙トレイとしてソータ２００のノンソートトレイを選択する。また、ＢＵＳＵ≧２の時は、ＣＰＵ７７は、排紙トレイとしてソートトレイを使用するように制御し、各部数毎にソートトレイのビンを割り当てる。この実施の形態では、ＢＵＳＵ＝２であるから、ＣＰＵ７７は、１部数目を１ビンに排紙させ、２部数目を２ビンに排紙させるように設定する。
【０１５０】
そして、ＣＰＵ７７は、１枚の用紙が一時集積部から１ビンに排紙される毎にコピー枚数をカウントダウンする。
上述したような工程が繰り返されて、一時集積部に集積されている用紙が排紙される。
【０１５１】
そして、ＳＴＡにおいて、コピー枚数＝ＴＵＩＫＡ（＝２）、すなわち追加ページの直前のページ番号までコピー枚数がカウントダウンされると、直前のページ番号に相当する用紙を排紙した後、ＳＴ９において、ＡＤＦがオンであるか否かが検知される。すなわち、ＣＰＵ７７は、追加ページが原稿であるか、複写済み用紙であるか否かをＡＤＦのエンプティセンサ１０２による出力信号に基づいて検知する。つまり、ＡＤＦのエンプティセンサがオンであれば、追加ページが原稿であることを認識する。
【０１５２】
続いて、ＣＰＵ７７は、ＡＤＦを作動させ、ＡＤＦに載置されている原稿を原稿テーブルに配置するようにＡＤＦＣＰＵに指示する。原稿テーブルに配置された原稿のサイズ、および複写倍率に基づいて複写される用紙のサイズを決定する。そして、ＣＰＵ７７は、ＳＴ１０において、決定されたサイズの用紙が収納されている所定のカセットを給紙場所に設定する。さらに、ＣＰＵ７７は、ＳＴ１１において、所定のカセットから用紙を給紙させ、画像形成部を作動させて原稿画像に対応する画像を用紙に複写させた後、１ビンに排紙させる。すなわち、ＣＰＵ７７は、未複写の用紙に画像を載せて排紙させるように制御する。
【０１５３】
一方、ＡＤＦのエンプティセンサがオフの場合、すなわち追加ページが複写済み用紙の場合には、ＣＰＵ７７は、手差しフィーダの用紙センサ４５ａがオン、すなわち手差しフィーダに追加する複写済み用紙が挿入されていることを検知した後、ＳＴ１２において、給紙場所を手差しフィーダに設定する。
【０１５４】
そして、ＳＴ２３において、手差しフィーダから複写済み用紙を給紙させ、画像を複写することなく画像形成部を通過させ、１ビンに排紙させる。すなわち、ＣＰＵ７７は、複写済み用紙に画像を載せることなく排紙させるように制御する。
【０１５５】
次に、ＣＰＵ７７は、ＳＴＣにおいてコピー枚数≠０の場合には、ＳＴ８において給紙場所を一時集積部に設定し、１ビンに複写済み用紙を排紙させる。
ＳＴＣにおいて、コピー枚数＝０となった場合には、ＣＰＵ７７は、ＳＴ１４においてＢＵＳＵデータをカウントダウンし、さらに、ＳＴ１５においてソータを１段下方に移動させて２ビンを排紙トレイとするように制御する。
【０１５６】
そして、ＣＰＵ７７は、ＳＴ１６においてＢＵＳＵ＝０となるまで上述した制御を繰り返す。
ページ差替えモードを設定する場合、オペレータにより図２に示した操作パネル３００に配置された差替えボタン３１１がオンされる。また、この時、ページ差替えモードを実行する、所定部数の一連の複写済み用紙が、所定の給紙カセット、たとえばＬＣＣ４４に収納される。
【０１５７】
スタンバイされていた複写装置本体２のＣＰＵ７７は、図６に示すように、ＳＴ１において差替えボタン３１１がオンされたことを検知する。そして、ＣＰＵ７７は、所定の文字データをメモリ７８内のＲＯＭから呼び出し、インターフェース８７を介して、図８に示すようなメッセージを操作パネル３００の液晶表示装置３０１に表示させるように制御する。
【０１５８】
ＣＰＵ７７は、メッセージ表示部３０２に、まず、図９の（ａ）に示すようなメッセージを表示させ、ページ差替えモードについての説明を必要とする場合には、説明文に対応する文字データをＲＯＭから呼び出し、メッセージ表示部３０２に表示させる。
【０１５９】
説明を必要としない場合には、ＣＰＵ７７は、図９の（ｂ）に示すようなメッセージをメッセージ表示部３０２に表示させる。
このメッセージに基づいて、オペレータが入力キー３０７を利用して１部当りのページ数を入力すると、ＣＰＵ７７は、図９の（ｃ）に示すようにページ数表示部３０４にページ数を表示させるとともに、メッセージ表示部３０２に次の指示内容に相当するメッセージを表示させる。
【０１６０】
このメッセージに基づいて、オペレータが入力キー３０７を利用して部数を入力すると、ＣＰＵ７７は、図９の（ｄ）に示すように、部数表示部３０５に部数を表示させるとともに、メッセージ表示部３０２に次の指示内容に相当するメッセージを表示させる。
【０１６１】
このメッセージに基づいて、オペレータが入力キー３０７を利用して差し替えるページのページ番号を入力すると、ＣＰＵ７７は、図９の（ｅ）に示すように、ページエリア表示部３０６にページ番号を表示させるとともに、次の指示内容に相当するメッセージをメッセージ表示部３０２に表示させる。
【０１６２】
そして、ＣＰＵ７７は、図６に示したＳＴ２において必要事項、すなわち１部当りのページ数、部数、及び差替えページのページ番号がすべて入力されたか否かを検知する。
【０１６３】
操作パネル３００の入力キー３０７を利用して入力された必要事項は、ＳＴ３において、インターフェース８７を介してＣＰＵ７７に転送された後、メモリ７８内のＲＡＭに書き込まれる。
【０１６４】
次に、オペレータは、図８の（ｅ）に示したようなメッセージに基づいてコピーボタン３０９をオンする。
ＣＰＵ７７は、図６に示したＳＴ４において、コピーボタン３０９がオンされたか否かを検知する。コピーボタン３０９がオンされた場合には、ＣＰＵ７７は、コピー処理に移行する。
【０１６５】
なお、ＳＴ４において、コピーボタン３０９がオンされずに所定の時間が経過した場合には、ＣＰＵ７７は、スタンバイ状態に初期化される。
図７に示したように、ＳＴ１において、差替えボタン３１１がオンされ、かつコピーボタン３０９がオンされた場合、ＣＰＵ７７は、ページ追加モードと同様に、ＳＴ６においてＬＣＣ４４に収納されていた一連の複写済み用紙を一時集積部６５に集積するように制御する。
【０１６６】
そして、ＣＰＵ７７は、ＳＴ７において、ＲＡＭに書き込まれたページ数（ＰＡＧＥ）、部数（ＢＵＳＵ）、及び差替えページのページ番号（ＳＡＳＨＩ）の入力データを呼び出す。図８に示した実施の形態では、ＰＡＧＥ＝５，ＢＵＳＵ＝２，ＳＡＳＨＩ＝４である。
【０１６７】
次に、ＣＰＵ７７は、追加モードと同様に、ＳＴＡ、ＳＴＢ、及びＳＴＣにおいて、それぞれ判別した後、ＳＴ８において、給紙場所を一時集積部に設定し、一時集積部から集積されている用紙を１枚ずつ排紙させる。
【０１６８】
この実施の形態では、ＢＵＳＵ＝２であるから、ＣＰＵ７７は、１部数目を１ビンに排紙させ、２部数目を２ビンに排紙させ、さらに差替えにより不要となった用紙を３ビンに排紙させるように設定する。
【０１６９】
そして、ＣＰＵ７７は、１枚の用紙が一時集積部から１ビンに排紙される毎にコピー枚数をカウントダウンする。
上述したような工程が繰り返されて、一時集積部に集積されている用紙が排紙される。
【０１７０】
そして、ＳＴＢにおいて、コピー枚数＝ＳＡＳＨＩ（＝４）、すなわち差替えページに相当するページ番号までコピー枚数がカウントダウンされると、ＣＰＵ７７は、ＳＴ１７において、ソータユニットをＢＵＳＵ＋１に相当するビン、すなわち３ビンに移動させ、一時集積部に集積されている４ページ目に相当する複写済み用紙を３ビンに排紙させるように制御する。
【０１７１】
次に、ＣＰＵ７７は、差替えページに相当する用紙が排紙されたことを確認した後、ＳＴ１８において、ソータユニットをＢＵＳＵに相当するビン、すなわち１ビンに移動させるように制御する。
【０１７２】
次に、ＳＴ１９において、ＡＤＦがオンであるか否かが検知される。すなわち、ＣＰＵ７７は、差替えページが原稿であるか、複写済み用紙であるか否かをＡＤＦのエンプティセンサ１０２による出力信号に基づいて検知する。つまり、ＡＤＦのエンプティセンサがオンであれば、差替えページが原稿であることを認識する。
【０１７３】
続いて、ＣＰＵ７７は、ＡＤＦを作動させ、ＡＤＦに載置されている原稿を原稿テーブルに配置するようにＡＤＦＣＰＵに指示する。原稿テーブルに配置された原稿のサイズ、および複写倍率に基づいて複写される用紙のサイズを決定する。そして、ＣＰＵ７７は、ＳＴ２０において、決定されたサイズの用紙が収納されている所定のカセットを給紙場所に設定する。さらに、ＣＰＵ７７は、ＳＴ２１において、所定のカセットから用紙を給紙させ、画像形成部を作動させて原稿画像に対応する画像を用紙に複写させた後、１ビンに排紙させる。すなわち、ＣＰＵ７７は、未複写の用紙に画像を載せて排紙させるように制御する。
【０１７４】
一方、ＡＤＦのエンプティセンサがオフの場合、すなわち差替えページが複写済み用紙の場合には、ＣＰＵ７７は、手差しフィーダの用紙センサ４５ａがオン、すなわち手差しフィーダに差し替える複写済み用紙が挿入されていることを検知した後、ＳＴ２２において、給紙場所を手差しフィーダに設定する。
【０１７５】
そして、ＳＴ２３において、手差しフィーダから複写済み用紙を給紙させ、画像を複写することなく画像形成部を通過させ、１ビンに排紙させる。すなわち、ＣＰＵ７７は、複写済み用紙に画像を載せることなく排紙させるように制御する。
【０１７６】
次に、ＣＰＵ７７は、ＳＴＣにおいてコピー枚数≠０の場合には、ＳＴ８において給紙場所を一時集積部に設定し、１ビンに複写済み用紙を排紙させる。
ＳＴＣにおいて、コピー枚数＝０となった場合には、ＣＰＵ７７は、ＳＴ１４においてＢＵＳＵデータをカウントダウンし、さらに、ＳＴ１５においてソータを１段下方に移動させて２ビンを排紙トレイとするように制御する。
【０１７７】
そして、ＣＰＵ７７は、ＳＴ１６においてＢＵＳＵ＝０となるまで上述した制御を繰り返す。
以上説明したように、オペレータの手作業では困難であったページの追加、およびページの差替えが、この画像形成装置を利用することにより、自動的に実行できる。このため、オペレータの負担が軽減できる。また、オペレータの手作業による作業ミスが防止できる。
【０１７８】
なお、この発明は、上述した実施の形態に限らず、種々変更可能である。例えば、ページ差替えモード、およびページ追加モードを続けて設定することにより、両機能を同時に実行することが可能である。
【０１７９】
また、ページ追加モードおよびページ差替えモードにおいて、追加可能なページ数、及び差替え可能なページ数は、複数部数、且つ複数ページ数であってもよい。
【０１８０】
さらに、上述した実施の形態では、片面のコピーのみを扱っているが、両面コピーであっても可能である。また、両面コピーと片面コピーとを混合することも可能である。
【０１８１】
またさらに、一連の複写済み用紙を収納するカセットとしてＬＣＣを使用した場合について説明したが、他のカセットであってもよい。また、追加ページおよび差し替えページに相当する複写済み用紙を収納する場所は、手差しフィーダに限られない。
【０１８２】
さらにまた、差替えモードと同様の処理を行なって新たな差替えページを挿入しなければ、ページ削除モードも実現可能である。
なお、この発明は、上述したアナログ複写装置に限られず、ディジタル複写機などの他の画像形成装置に適用することも可能である。
【０１８３】
【発明の効果】
以上説明したように、この発明によれば、一連の順序で積み重ねられた複写済み記録用紙の所定の用紙間に他の複写済み記録用紙を追加する、または複写済み記録用紙の一部を他の複写済み記録用紙を差し替えることができる画像形成装置を提供することができる。
【図面の簡単な説明】
【図１】図１は、この発明の画像形成装置の一例としてのアナログ方式の複写装置を概略的に示す断面図である。
【図２】図２は、図１に示されている複写装置に備えられる操作パネルの一例を概略的に示す一部平面図である。
【図３】図３は、図１に示されている複写装置の制御系の一例を示すブロック図である。
【図４】図４は、この発明の画像形成装置に備えられるページ追加モードを説明するための図である。
【図５】図５は、この発明の画像形成装置に備えられるページ差替えモードを説明するための図である。
【図６】図６は、この発明の画像形成装置の動作を説明するためのフローチャートである。
【図７】図７は、ページ追加モード及びページ差替えモードの動作を説明するためのフローチャートである。
【図８】図８は、ページ追加モード時に、図２に示した液晶表示装置に表示されるメッセージの表示例を示す図である。
【図９】図９は、ページ差替えモード時に、図２に示した液晶表示装置に表示されるメッセージの表示例を示す図である。
【符号の説明】
２…複写装置              ４…画像読取部
６…画像形成部          １０…自動原稿送り装置
１１…原稿テーブル        １３…露光ランプ
１４…反射板              １５…第１ミラー
１６…第一キャリッジ      １７…第二キャリッジ
２０…第２ミラー          ２１…第３ミラー
２２…レンズ              ２３…第４ミラー
２４…第５ミラー          ２５…露光ミラー
３０…感光体ドラム        ３１…帯電チャージャ
３２…現像装置            ３３…転写・剥離チャージャ
３４…剥離爪              ３５…清掃装置
３６…除電器              ４１…上段カセット
４２…中段カセット        ４３…下段カセット
４４…大容量フィーダ      ４５…手差しフィーダ
４５ａ…用紙センサ          ４６…ピックアップローラ
４７…手差しガイド      ４８…搬送ローラ
５１…搬送路            ５２…搬送ベルト
５３…定着装置          ５４…排出口
５５…排紙トレイ        ５６…ピックアップローラ
５７…給紙ローラ        ５８…タイミングローラ
６０…排出切換ユニット  ６１…排出ローラ
６２…排出ローラ        ６３…振り分けゲート
６４…用紙反転部        ６５…一時集積部
６６…反転路            ６７…ピックアップローラ
６８…反転搬送路        ６９…給紙ローラ
７７…ＣＰＵ            ７８…メモリ
７９…内部バス          ８５…入力回路
８７…インタフェース  １００…ＡＤＦ
１０２…エンプティセンサ１３０…ＡＤＦＣＰＵ
２００…ソータ          ２０５…ノンソートトレイ
２０６…ソートトレイ    ３００…操作パネル
３０１…液晶表示装置    ３０２…メッセージ表示部
３０３…倍率表示部      ３０４…ページ数表示部
３０５…部数表示部      ３０６…ページエリア表示部
３０７…入力キー        ３０９…複写開始キー
【図１】
0003694079.tif 000002
【図２】
0003694079.tif 000003
【図３】
0003694079.tif 000004
【図４】
0003694079.tif 000005
【図５】
0003694079.tif 000006
【図６】
0003694079.tif 000007
【図７】
0003694079.tif 000008
【図８】
0003694079.tif 000009
【図９】
0003694079.tif 000010